(57)【特許請求の範囲】
【請求項１】
複数のストリームが多重された放送信号を出力する冗長構成の出力系統を前記ストリームのうち特定のストリームに付加された切替点に基づいて切り替える装置であって、
前記出力系統を強制的に切り替える第１の切替指示、又は前記出力系統を条件付きで切り替える第２の切替指示の切替制御を受ける手段と、
前記第１の切替指示の切替制御を受けた場合に、第１のタイムアウト時間を設定した上で前記特定のストリームの切替点の検出を行い、前記第１のタイムアウト時間内に検出された前記切替点に基づいて当該特定のストリームの切替を実行し、前記第１のタイムアウト時間に到達した時に未切替の全てのストリームの切替を実行する第１の切替手段と、
前記第２の切替指示の切替制御を受けた場合に、第２のタイムアウト時間を設定した上で前記特定のストリームに付加された全ての切替点の検出を行い、前記第２のタイムアウト時間内に前記全ての切替点が検出された場合は前記特定のストリームの切替を実行すると共に未切替の全てのストリームの切替を実行し、前記第２のタイムアウト時間に到達した場合は全てのストリームの切替を中止する第２の切替手段と
を具備することを特徴とする放送信号切替装置。
【請求項２】
前記第２のタイムアウト時間は、前記第１のタイムアウト時間より長く設定されることを特徴とする請求項１記載の放送信号切替装置。
【請求項３】
複数のストリームが多重された放送信号を出力する冗長構成の出力系統を前記ストリームのうち特定のストリームに付加された切替点に基づいて切り替える装置に用いられる方法であって、
前記出力系統を強制的に切り替える第１の切替指示、又は前記出力系統を条件付きで切り替える第２の切替指示の切替制御を受け、
前記第１の切替指示の切替制御を受けた場合に、第１のタイムアウト時間を設定した上で前記特定のストリームの切替点の検出を行い、前記第１のタイムアウト時間内に検出された前記切替点に基づいて当該特定のストリームの切替を実行し、前記第１のタイムアウト時間に到達した時に未切替の全てのストリームの切替を実行し、
前記第２の切替指示の切替制御を受けた場合に、第２のタイムアウト時間を設定した上で前記特定のストリームに付加された全ての切替点の検出を行い、前記第２のタイムアウト時間内に前記全ての切替点が検出された場合は前記特定のストリームの切替を実行すると共に未切替の全てのストリームの切替を実行し、前記第２のタイムアウト時間に到達した場合は全てのストリームの切替を中止すること
を有することを特徴とする放送信号切替方法。
【請求項４】
前記第２のタイムアウト時間は、前記第１のタイムアウト時間より長く設定されることを特徴とする請求項３記載の放送信号切替方法。
【発明の詳細な説明】
【技術分野】
【０００１】
本発明の実施形態は、放送信号切替装置及び放送信号切替方法に関する。
【背景技術】
【０００２】
複数サービスの素材を符号化し、多重化してＭＰＥＧ２−ＴＳストリームを生成送出するデジタル放送用設備において、冗長系を構成しているシステムでは、系の切替時に正常なメインサービスの映像や音声のストリームをショックなく切替えるシームレス切替技術が用いられている。
【０００３】
シームレス切替技術では、系の切替時に、メインサービスの映像や音声の符号化装置がシームレス切替点（フラグなどの特徴的なデータ）をストリーム上に付加し、切替装置がシームレス切替点を識別して、そのストリームに関してショックなく切替える。その他のストリームは、シームレス切替点が付加されず強制的に切替えられる。
【０００４】
この系の切替が、あるサービスの不具合発生時に行われる場合は、系を切替えることが重要であり、切替装置の処理は最終的にタイムアウトしてでも系を切替える必要がある。ところが、この系の切替が、運用系を保守するために運用系を別の系に移動させるような場合は、必ずしも切替えることが重要ではなく、逆に何らかの理由で、切替装置が正常なメインサービスのストリームに関してシームレス切替点を見つけられない場合は、強制的に切り替えることでメインサービスの映像や音声にショックが出るという問題が発生する場合がある。
【先行技術文献】
【特許文献】
【０００５】
【特許文献１】特開２００９−１８８７５６号公報
【特許文献２】特開２００２−２９０３８４号公報
【特許文献３】特開平９−６５２０５号公報
【発明の概要】
【発明が解決しようとする課題】
【０００６】
上述したように、切替装置では系の切替制御が発生した場合には必ず系の切替を実施していた。そのため、保守時のように切替制御したタイミングで系の切替が必要ない場合でも、強制的に切替を実施していた。この時、メインサービスが正常なストリームであるにもかかわらず、何らかの不具合によりシームレス切替点が検出されなかった場合は、強制的に切り替えることでメインサービスの映像や音声にショックが出るという問題が発生するおそれがある。
【０００７】
本実施形態の目的は、緊急性の無い場合には正常なサービスにはショックを与えないようにする放送信号切替装置及び放送信号切替方法を提供することにある。
【課題を解決するための手段】
【０００８】
本実施形態に係る放送信号切替装置は、複数のストリームが多重された放送信号を出力する冗長構成の出力系統を前記ストリームのうち特定のストリームに付加された切替点に基づいて切り替える装置であって、前記出力系統を強制的に切り替える第１の切替指示、又は前記出力系統を条件付きで切り替える第２の切替指示の切替制御を受ける手段と、前記第１の切替指示の切替制御を受けた場合に、第１のタイムアウト時間を設定した上で前記特定のストリームの切替点の検出を行い、前記第１のタイムアウト時間内に検出された前記切替点に基づいて当該特定のストリームの切替を実行し、前記第１のタイムアウト時間に到達した時に未切替の全てのストリームの切替を実行する第１の切替手段と、前記第２の切替指示の切替制御を受けた場合に、第２のタイムアウト時間を設定した上で前記特定のストリームに付加された全ての切替点の検出を行い、前記第２のタイムアウト時間内に前記全ての切替点が検出された場合は前記特定のストリームの切替を実行すると共に未切替の全てのストリームの切替を実行し、前記第２のタイムアウト時間に到達した場合は全てのストリームの切替を中止する第２の切替手段とを具備する。
【０００９】
本実施形態に係る放送信号切替方法は、複数のストリームが多重された放送信号を出力する冗長構成の出力系統を前記ストリームのうち特定のストリームに付加された切替点に基づいて切り替える装置に用いられる方法であって、前記出力系統を強制的に切り替える第１の切替指示、又は前記出力系統を条件付きで切り替える第２の切替指示の切替制御を受け、前記第１の切替指示の切替制御を受けた場合に、第１のタイムアウト時間を設定した上で前記特定のストリームの切替点の検出を行い、前記第１のタイムアウト時間内に検出された前記切替点に基づいて当該特定のストリームの切替を実行し、前記第１のタイムアウト時間に到達した時に未切替の全てのストリームの切替を実行し、前記第２の切替指示の切替制御を受けた場合に、第２のタイムアウト時間を設定した上で前記特定のストリームに付加された全ての切替点の検出を行い、前記第２のタイムアウト時間内に前記全ての切替点が検出された場合は前記特定のストリームの切替を実行すると共に未切替の全てのストリームの切替を実行し、前記第２のタイムアウト時間に到達した場合は全てのストリームの切替を中止することを有するものである。
【図面の簡単な説明】
【００１０】
【図１】本実施形態に係る放送信号切替装置を示す図。
【図２】放送信号切替処理の手順を示すフローチャート。
【発明を実施するための形態】
【００１１】
以下、図面を参照しながら本実施形態に係る放送信号切替装置及び放送信号切替方法を説明する。
【００１２】
図１は、本実施形態に係る放送信号切替装置を示す図である。図１において、この切替装置Ｓ１０１は、現用系１０及び予備系１１の２系統の冗長構成の出力系統を切り替える
ものとする。
【００１３】
現用系の符号化装置Ｅ１０１〜Ｅ１０２は、メインサービスの映像、音声、字幕のコンテンツをＭＰＥＧ２−ＴＳ符号化する。現用系の符号化装置Ｅ１０３は、メインサービスのデータ放送や、その他ストリームに必要な情報をＭＰＥＧ２−ＴＳ符号化する。現用系の多重化装置Ｍ１０１は、符号化装置Ｅ１０１〜Ｅ１０３から出力されるＴＳパケットを多重したＭＰＥＧ２−ＴＳストリームを生成する。同様に予備系１１についても、多重化装置Ｍ１１１において、符号化装置Ｅ１１１〜Ｅ１１３から出力されるＴＳパケットが多重されたＭＰＥＧ２−ＴＳストリームが生成される。切替装置Ｓ１０１は、切替制御装置Ｃ１０１からの切替制御に従って、多重化装置Ｍ１０１，Ｍ１１１の出力を選択的に切り替える。
【００１４】
シームレス切替技術では、切替制御装置Ｃ１０１から指示された系の切替時に、メインサービスの符号化装置Ｅ１０１~Ｅ１０２がシームレス切替点（フラグなどの特徴的なデータ）を映像と音声のストリーム上に付加する。切替装置Ｓ１０１は、各符号化装置のストリームを監視し、シームレス切替点を検出した場合はシームレス切替点で切り替えを行う。符号化装置Ｅ１０１~Ｅ１０２の字幕ストリームや、符号化装置Ｅ１０３は、シームレス切替点がストリーム上に付加されないため、ＴＳパケット境界などで切り替える。
【００１５】
この系の切替が、あるサービスの不具合発生時など緊急時に行われる場合は、系を切り替えることが重要であり、最終的にタイムアウトしてでも系を切り替える必要がある。ところが、この系の切替が、運用系を保守するために運用系を別の系に移動させるような場合は、必ずしも切替えることが重要でなく、逆に何らかの理由で、切替装置が正常なメインサービスのストリームに関してシームレス切替点を見つけられない場合は、強制的に切り替えることでメインサービスの映像や音声にショックが出るという問題が発生する場合がある。
【００１６】
そこで、本実施形態では、保守時のように系の切替を即座に行う必要がない場合は、切替装置がシームレス切替点が検出できなかった場合は、強制的に切替を実行するのではなく切替を中止して、正常なサービスに敢えてショックを与えないようにする手法を提供する。
【００１７】
以下、このように構成された切替装置の動作について説明する。図２は、放送信号切替処理の手順を示すフローチャートである。図２において、記号のＪ１〜Ｊ４は判断処理を、Ｂ１〜Ｂ９は分岐条件を、Ｅ１〜Ｅ３は実行処理を示す。
【００１８】
切替装置Ｓ１０１の起動後、判断処理Ｊ１で、切替制御装置Ｃ１０１からの切替制御の有無を確認する。切替制御を受ける時に、切替種別（強制切替／条件切替）の指示を受け取る。切替装置Ｓ１０１は、切替制御装置Ｃ１０１からの切替制御が無い場合は分岐Ｂ２へ進み、判断処理Ｊ１にとどまり、切替制御が有った場合は、分岐Ｂ１へ進む。判断処理Ｊ３で、切替種別が強制切替の場合は、分岐Ｂ６へ進む。判断処理Ｊ３で、切替種別が条件切替の場合は、分岐Ｂ７へ進む。
【００１９】
分岐Ｂ６の強制切替へ進んだ場合、判断処理Ｊ２において、符号化装置Ｅ１０１〜Ｅ１０２、Ｅ１１１〜Ｅ１１２で符号化されたメインサービスストリーム（特定のストリーム）のシームレス切替点を探索する。またタイムアウト時間に到達したかどうかを確認する。シームレス切替点が未検出で、かつタイムアウト時間に未到達の場合は、分岐Ｂ３へ進み、判断処理Ｊ２にとどまる。シームレス切替点が検出され、かつタイムアウト時間に未到達の場合は、分岐Ｂ４へ進み、実行処理Ｅ１でシームレス切替点の付加されたストリームの切替（メインサービスのストリーム切替）を実行する。タイムアウト時間に到達の場合は、分岐Ｂ５へ進み、実行処理Ｅ２において、未切替の全てのストリームを強制切替を実行する。
【００２０】
一方、分岐Ｂ７の条件切替へ進んだ場合、判断処理Ｊ４において、符号化装置Ｅ１０１〜Ｅ１０２、Ｅ１１１〜Ｅ１１２で符号化されたメインサービスストリームのシームレス切替点を全てを探索すると共に、タイムアウト時間に到達したかどうかを確認する。シームレス切替点を全て検出し、かつタイムアウト時間に未到達の場合は、分岐Ｂ８へ進み、実行処理Ｅ３でシームレス切替点の付加された全ストリームの切替を実行し、実行処理Ｅ２で未切替の全てのストリームの強制切替を実行する。判断処理Ｊ４でタイムアウト時間に到達した場合は、分岐Ｂ９へ進み、全てのストリームについての切替処理を中止する。
【００２１】
なお、分岐Ｂ６の強制切替へ進んだ場合、判断処理Ｊ２のシームレス切替点探索タイムアウト確認のタイムアウト時間は、不具合発生時の切替であるため、２秒程度と短めに設定し、分岐Ｂ７の条件切替へ進んだ場合、判断処理Ｊ４のシームレス切替点全探索タイムアウト確認のタイムアウト時間は、保守のための切替であるため、６秒程度と長めに設定をすることが可能である。
【００２２】
以上述べたように、上記実施形態では、切替制御の切替種別として、強制切替と条件切替の種別を設け、強制切替の場合は、シームレス切替点が見つからないメインサービスのストリームが存在する場合でも、タイムアウトした場合に強制的に切替を実行する。一方、条件切替の場合は、シームレス切替点が見つからないメインサービスのストリームが存在する場合、タイムアウトした場合に全てのストリームの切替を中止する。
【００２３】
このように構成することで、保守時のように系の切替を即座に行う必要がない場合は、切替装置がシームレス切替点を検出できなかった場合に、強制的に切替を実行するのではなく切替を中止して、正常なサービスに敢えてショックを与えないようにすることができる。
【００２４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１０…現用系、１１…予備系、Ｅ１０１〜Ｅ１０２，Ｅ１１１〜Ｅ１１２…メインサービスの符号化装置、Ｅ１０３，Ｅ１１３…データ放送、ストリーム情報の符号化装置、Ｍ１０１，Ｍ１１１…多重化装置、Ｓ１０１…切替装置、Ｃ１０１…切替制御装置。
【図１】
0005355605.tif 000002
【図２】
0005355605.tif 000003